(57)【特許請求の範囲】
【請求項１】
トンネル内に打設されたアーチコンクリートを養生するアーチコンクリートの養生方法において、
トンネルにアーチコンクリートを打設して、セントルをトンネル内の次のコンクリート打設区間に移動させるときに、セントルに装備した吹き付け装置から、移動前に打設したアーチコンクリート内面にコンクリート表面養生剤（水を除く）を吹き付けて、当該コンクリート表面養生剤をアーチコンクリート内面に付着させ、付着したコンクリート表面養生剤によりアーチコンクリート内面側の乾燥を抑制してアーチコンクリートを養生することを特徴とするアーチコンクリートの養生方法。
【請求項２】
トンネルのアーチコンクリート内面に養生剤を吹き付けるアーチコンクリートへの養生剤吹き付け装置において、上方開口樋状のガイドがアーチコンクリート打設用セントルの後端部又は後端部よりも後方突出位置に設けられ、ガイドはその上方開口部がアーチコンクリートに向けてセントルの周方向に配置され、ガイドには複数のノズルが設けられた吹き付け管又はホースが配置されたことを特徴とするアーチコンクリートへの養生剤吹き付け装置。
【請求項３】
請求項２記載のアーチコンクリートへの養生剤吹き付け装置において、ガイドにノズルの上方を開閉可能なシャッターを備えたことを特徴とする覆工コンクリートへの養生剤吹き付け装置。
【発明の詳細な説明】
【技術分野】
【０００１】
本発明はトンネルの内側に打設した覆工コンクリート（アーチコンクリート）の内面に養生剤を吹き付けてアーチコンクリートの乾燥を抑制しながらアーチコンクリートを養生する方法と、それに使用されるアーチコンクリートへの養生剤吹き付け装置に関するものである。
【背景技術】
【０００２】
トンネルは、通常は、掘削された岩盤、岩盤内面に吹き付けられた一次覆工コンクリート、一次覆工コンクリートの内側に張られた止水シート、止水シートの内側に打設した二次覆工コンクリート（アーチコンクリート）の層構造になっている。アーチコンクリートを打設する場合は止水シートの内側にコンクリート打設用型枠（セントル）を配置し、セントルと止水シートとの間の空間にセントルの窓及び注入口から生コンクリートを注入（打設）している。
【０００３】
アーチコンクリートは打設したままではトンネル巻厚方向岩盤側と空気にさらされる内面側の乾燥収縮の相違及びセメントの水和反応過程における収縮により、アーチコンクリート内面にクラックが生じ易い。クラックの発生を抑制するために従来はアーチコンクリート内面に蒸気或いは水を噴射、又、空気でアーチ状に膨らませたバルーンをコンクリート面に密着させ、アーチコンクリートの保湿・保温を確保して養生している（特許文献１、２参照）。
【０００４】
【特許文献１】特開２００５−５４３８４
【特許文献２】特開２００５−９０１４６
【発明の開示】
【発明が解決しようとする課題】
【０００５】
従来の養生方法では特許文献１に記載のように、アーチコンクリート内面に噴射した水がセントルの上やトンネル内に滴下するため、アーチコンクリートの内側にシートを張ってから水を噴射して前記滴下を受け、水分乾燥後はシートを取り外している。この作業は非常に面倒である。又、特許文献２ではバルーンの移動、設置に手間がかかり、又、バルーンの固定には固定設備が必要となりコストがかかる。
【課題を解決するための手段】
【０００６】
本発明はシートを張らなくても吹き付けた液体が滴下せず、作業性に優れた養生方法と、それに使用する養生剤吹き付け装置を提供することにある。
【０００７】
本発明のアーチコンクリート養生方法は、セントルに装備した吹き付け装置からトンネルのアーチコンクリート内面に養生剤を吹き付けて付着させ養生剤が滴下しないようにし、養生剤でアーチコンクリート内面側の乾燥を抑制してアーチコンクリートを養生するようにした。この場合、請求項１記載のアーチコンクリートの養生方法において、コンクリート打設後に次のコンクリート打設区間にセントルを移動させるときに、先に打設されたアーチコンクリートにセントルに装備した吹き付け装置から養生剤を吹き付けて養生剤をセントルの移動に合わせてアーチコンクリート内面に連続的に付着させる。
【０００８】
本発明のアーチコンクリートへの養生剤吹き付け装置は、上方開口樋状のガイドをアーチコンクリート打設用セントルの後端側又は後端部よりも後方突出位置に設け、ガイドはその上方開口部をアーチコンクリートに向けてセントルの周方向に配置し、ガイドに複数のノズルが設けられた吹き付け管又はホースを配置して、そのノズルから養生剤を噴出すると養生剤がアーチコンクリート内面に吹き付けられて付着するようにした。養生剤噴出終了後にノズルから洗浄液（例えば水）を噴射してノズルを洗浄しノズルの詰まりを防止することができる。この場合、ガイドにノズルの上方を開閉可能なシャッターを設けて、ノズル洗浄時にシャッターでノズル上方を閉じて洗浄液がアーチコンクリート内面にかかり、付着した養生剤が落ちないようにし、養生剤噴出時にはシャッターを開いて養生剤がアーチコンクリート内面に吹き付けられて付着するようにしてある。
【発明の効果】
【０００９】
本発明の養生方法は次のような効果がある。
１．養生剤がアーチコンクリート内面に吹き付けられて付着するので滴下せず、アーチコンクリートの下にシートを張る必要がなく、シートを張ったり取り外したりする面倒がない。
２．コンクリート打設後に次のコンクリート打設区間にセントルを移動させるときに、先に打設されたアーチコンクリートにセントルに装備した吹き付け装置から養生剤を吹き付けるので、養生剤をセントルの移動時に容易に連続噴射することができ、吹き付け作業効率が向上する。
【００１０】
本発明の養生剤吹き付け装置は次のような効果がある。
１．複数のノズル付き吹き付け管又はホースを、セントルの後端部又は後端部後方突出位置にセントルの周方向に沿って配置したガイドに沿って配管したので次のような効果がある。
（１）ノズルから噴出する養生剤をセントルに装備した吹き付け装置からアーチコンクリート内面に吹き付けることができ、セントル移動時にアーチコンクリート内面に連続吹き付けするのに適する。
（２）吹き付け管又はホースはセントル移動時にガイドと共に移動するので絡まったり折れ曲がったりせず養生剤が円滑に噴射される。
２．上方開口樋状のガイドを、上方開口部をアーチコンクリート側に向けて配置したので、アーチコンクリート内面まで届かずに途中から落下する養生剤をガイドで回収することができ、養生剤のリサイクルで無駄が低減し、コストダウンになる。
３．ノズルの上方を開閉可能なカバーを設けたので、カバーを開いてノズル上方を開放すれば養生剤をアーチコンクリート内面周に吹き付けることができ、カバーでノズル上方を閉じればノズルから洗浄液を噴射しても洗浄液はアーチコンクリート内面周にかからず、アーチコンクリート内面周に吹き付けた養生剤を洗い流すことなくノズルを洗浄して目詰りを防止することができる。
【発明を実施するための最良の形態】
【００１１】
（アーチコンクリートへの養生剤吹き付け方法の一実施例）
本発明のアーチコンクリートへの養生剤吹き付け方法の一例を図面に基づいて説明する。この養生剤吹き付け方法は図１のようにセントル１の後端部周方向に配置した４つのガイド２内に配管されたホース３（図５）のノズル４（図４、図５）から、養生剤５をアーチコンクリート６の内面７（図４）に吹き付けて付着させるようにしてある。この吹き付けはコンクリート打設後に次のコンクリート打設区間にセントル１を移動させるときに、先に打設されたアーチコンクリート６の内面７打設進行方向に養生剤を連続的に吹き付けることができる。
【００１２】
前記ノズル４は図５のようにアーチコンクリート６の周方向に横広がりに噴射できるものであり、隣接するノズル４から噴射される養生剤５が横方向両端部でオーバーラップしてアーチコンクリート６の内面７の周方向に切れ目なく付着できるようにしてある。養生剤５は、アーチコンクリート６の内面７に付着し易い性質のものが適し、例えば、コンクリート表面養生剤として市販されているバーティキュア（（株）ノックス製）とか、フィニッシュコート（花王（株）製）等が適する。ノズル４から噴出される養生剤５の吐出圧、吐出量、吐出時間等はアーチコンクリート６内径とか養生剤５の軟らかさといった各種噴射条件により選択される。
【００１３】
（養生剤吹き付け装置の一実施例）
本発明のアーチコンクリートへの養生剤吹き付け装置の一実施例を図面に基づいて説明する。図１に示すアーチコンクリートへの養生剤吹き付け装置は、アーチコンクリート６の内面７の周方向に沿って配置した横長弧状のガイド２と、ガイド２内に配管したホース３（図５）と、ホース３に取り付けられているノズル４（図５）を備えている。
【００１４】
４本のガイド２は長さは異なるが形状はいずれも同じであり、図５、図６（ａ）、（ｂ）のように底板８と背の低い外壁９と背の高い内壁１０で囲まれた上方開口樋状であり、アーチコンクリート６（図３）の周方向に湾曲する細長である。これらガイド２は図４のようにセントル１の後端部１１（図４）から後方に張り出した支持台１２の上の支柱１３の上に配置固定されている。
【００１５】
前記支持台１２は図１に示すように板状（フロアー材）であり、セントル１の後端部内周面に固定されている支持材１４（図１）の上に、セントル１の後端部１１（図２、図４）よりも後方に張り出させて（突出させて）取り付けてある。
【００１６】
前記支柱１３は図１、図５に示すように前記支持台１２の上に立設固定してある。支柱１３には角パイプ、丸パイプ、他の形状の鋼材等を使用することができる。
【００１７】
前記支柱１３の上には図４〜図６に示すように支持材１４が下向きに配置固定されている。支持材１４はガイド２の湾曲に沿って湾曲している。支持材１４にはコ字形の鋼材が適するが角材、Ｈ型鋼等の他の各種形状鋼材を使用することもできる。
【００１８】
前記支持材１４の上には板状の支持具１５（図５、図６）が縦向きに配置固定されている。支持具１５は図５のように前記支持材１４の湾曲方向に間隔をあけて多数枚配置固定されている。支持具１５の固定にはボルト・ネジ等の固定具１６が使用されている。支持具１５には板材や他の形状の鋼材等を使用することができる。
【００１９】
前記支持具１５には支持アーム１７（図５、図６）が横向きに固定され、支持具１６の先端には方形板状の保持具１８（図５、図６）が固定されている。支持アーム１６には丸や角のパイプ、棒等を使用することができ、保持具１８には板材以外の物を使用することもできる。
【００２０】
前記支持具１５の上面１５ａ（図６（ｂ））及びガイド２の背の低い外壁９の上面９ａ（図６（ａ）、（ｂ））の上にはシャッター１９が配置されている。シャッター１９にはガイド２の周方向に湾曲するＬ字状の横長板が使用されている。シャッター１９の縦板２０にはコ字状の取っ手２１（図６（ａ）、（ｂ））が横向きに取り付けられており、図６（ａ）の状態で取っ手２１を背の高い内壁１０側に押すとシャッター１９が支持具１５の上面１５ａ（図６（ｂ））及びガイド２の外壁９の縦板９ａの上を滑って図６（ｂ）のように樋状のガイド２の上に押し出されてガイド２の上方開口部２ａ（図６（ａ）、（ｂ））を閉じ、取っ手２１を引き戻すとシャッター１９がその縦板２０の上を滑って図６（ａ）の位置に引き戻されてガイド２の上方開口部２ａが開放されるようにしてある。図６（ｂ）のようにガイド２の上に押出されたシャッター１９はその縦板２０が図６（ｂ）のように保持具１８に突き当たってそれ以上は押出されず、その位置に保持されて安定するようにしてある。
【００２１】
前記ホース３（図６（ａ）、（ｂ））は図１、図３に示す４つのガイド２の夫々の上方開口溝２２（図６（ａ）、（ｂ））の内部に配管されている。ホース３には樹脂製、ゴム製、フレキシブルな金属製のもの等を使用することができる。ホース３の長手方向には間隔を空けて複数のノズル４（図５）が取り付けられている。図１、図３のように４本のガイド２に配管された４本のホース３は図７のように根元側で纏めて１本にして養生剤用ポンプＰ１に連結してあり、このポンプＰ１によって養生剤タンクＴ１から送出される養生剤が夫々のホース３に分配されるようにしてある。夫々のノズル４は図示されていない開閉栓で開閉可能であり、開閉栓の開閉操作によりノズル４から養生剤を噴出・停止させることができるようにしてある。
【００２２】
前記ホース３の根元は洗浄液用ポンプＰ２（図７）にも連結されており、ポンプＰ２によって洗浄液タンクＴ２から送出される洗浄液（例えば水）が夫々のホース３に分配されるようにしてある。洗浄液の供給と養生剤の供給は切替栓２３の切替えにより行うことができるようにしてある。
【００２３】
図１〜図３の２４はトンネル内に設置されたセントル用架台であり、打設時のコンクリート圧力を受けると共にセントル１をトンネルの抗口側と切羽側に前後移動させるためのものである。図３の２５は生コン車である。
【００２４】
図１〜図４の養生剤吹き付け装置はセントル１の後方に張り出して設置してあるが、養生剤吹き付け装置はセントル１の後端部１１（図４）よりも多少内側に設置し、ノズル４をセントル１の後方に向けて設置して、養生剤がノズル４からセントル１の後方のアーチコンクリート６の内面７に向けて噴出されるようにしている。作業上、養生剤吹き付け装置は後端部より張り出した位置に設置してもよい。
【００２５】
図１〜図６の養生剤吹き付け装置のノズル４から養生剤を噴出してセントル１の後方のアーチコンクリート内面に付着させるには、養生剤タンクＴ１（図７）内の養生剤を養生剤用ポンプＰ１でホース３内に圧送し、ノズル４の開閉栓を開いてノズル４から養生剤をアーチコンクリート６の内面７に向けて噴出する。このとき図５のように隣接するノズル４から噴出される養生剤の幅方向両端側をオーバーラップさせて、養生剤がアーチコンクリート６の内面７全周に切れ目なく吹き付けられるようにする。この噴出をセントル１の移動時に連続的に行えば、養生剤がセントル１の移動に伴ってアーチコンクリートの打設進行方向に連続的に吹き付けられる。
【図面の簡単な説明】
【００２６】
【図１】本発明の養生剤吹き付け装置を備えたセントルの後端側斜視説明図。
【図２】本発明の養生剤吹き付け装置を備えたセントルの後端側側面図。
【図３】本発明の養生剤吹き付け装置を備えたセントルの後端方向縦断面図。
【図４】本発明の養生剤吹き付け装置を備えたセントルの後端側詳細側面図。
【図５】本発明の養生剤吹き付け装置の一部斜視図。
【図６】（ａ）は本発明の養生剤吹き付け装置のシャッターを開いた状態の部分説明図、（ｂ）はシャッターを閉じた状態の部分説明図。
【図７】本発明の養生剤吹き付け装置におけるポンプとホースとの配管説明図。
【符号の説明】
【００２７】
１  セントル
２  ガイド
２ａ  ガイドの上方開口部
３  ホース
４  ノズル
５  養生剤
６  アーチコンクリート
７  アーチコンクリートの内面
８  底板
９  外壁
９ａ  外壁の上面
１０  内壁
１１  セントルの後端部
１２  支持台
１３  支柱
１４  支持材
１５  支持具
１５ａ  支持具の上面
１６  固定具
１７  支持アーム
１８  保持具
１９  シャッター
２０  シャッターの縦板
２１  取っ手
２２  ガイドの上方開口溝
２３  切替栓
２４  セントル用架台
２５  生コン車
Ｐ１  養生剤用ポンプ
Ｔ１  養生剤タンク
Ｐ２  洗浄液用ポンプ
Ｔ２  洗浄液タンク
【図１】
0004974810.tif 000002
【図２】
0004974810.tif 000003
【図３】
0004974810.tif 000004
【図４】
0004974810.tif 000005
【図５】
0004974810.tif 000006
【図６】
0004974810.tif 000007
【図７】
0004974810.tif 000008